(57)【要約】【課題】組立て及び分解が可能で、コンテナに着脱可能であり、種々のサイズの衣類を同時に搬送するに適したハンガーラックを提供すること。【解決手段】ハンガーラック１０は、２つの支柱２、それぞれの上部の間に支持される第１支持バー３ａ、及びそれぞれの胴部の間に支持される複数の第２支持バー３ｂをそれぞれ有する２つのポール支持体１、並びに第１支持バー及び複数の第２支持バーに設けられたポール係止具３ａ０，３ｂ０を用いて係止することにより、２つのポール支持体の間に架設される複数のハンガーポール５を備える。２つのポール支持体の間に、第１支持バー及び複数の第２支持バーに設けられたポール係止具を用いて係止することにより、複数のハンガーポールを架設してハンガーラックを組み立てるとともに、ハンガーラックを、ポール係止具による係止を外すことにより、２つのポール支持体と複数のハンガーポールとに分解することができる。【選択図】図１
2018201847.tif 000002
【特許請求の範囲】
【請求項１】
ハンガーを用いて複数の衣類を掛けるためのハンガーラックであって、
２つの支柱、該２つの支柱のそれぞれの上部の間に支持される第１支持バー、及び該２つの支柱のそれぞれの胴部の間に支持される複数の第２支持バーをそれぞれ有する２つのポール支持体と、
前記第１支持バー及び前記複数の第２支持バーに設けられたポール係止具を用いて係止することにより、前記２つのポール支持体の間に架設される複数のハンガーポールと、
を備えることを特徴とする、ハンガーラック。
【請求項２】
前記複数の第２支持バーのうちの少なくとも１つの第２支持バーは、前記第１支持バーと同じ位置に前記ポール係止具を有することを特徴とする、請求項１に記載のハンガーラック。
【請求項３】
前記複数の第２支持バーのうちの別の少なくとも１つの第２支持バーは、前記第１支持バーと異なる位置に前記ポール係止具を有することを特徴とする、請求項２に記載のハンガーラック。
【請求項４】
前記２つのポール支持体は、前記２つの支柱のそれぞれの下部の間に支持される第３支持バーをそれぞれ有し、
前記複数のハンガーポールは、前記第３支持バーに設けられたポール係止具を用いて係止することにより、前記２つのポール支持体の間に架設されるハンガーポールをさらに含むことを特徴とする、請求項１〜３のいずれか一項に記載のハンガーラック。
【請求項５】
前記複数のハンガーポールのそれぞれに、それぞれのハンガーポールに掛けられるハンガーの掛止部を含んで被覆することで前記ハンガーを前記ハンガーポールに固定するハンガー固定具をさらに備えることを特徴とする、請求項１〜４のいずれか一項に記載のハンガーラック。
【発明の詳細な説明】
【技術分野】
【０００１】
本発明は、ハンガーを用いて複数の衣類を掛けるためのハンガーラックに関する。
【背景技術】
【０００２】
海外で縫製された衣類を輸入する際に衣類を折り畳んで搬送すると、衣類に折り目が入るため国内でプレス仕上げする必要が生じる。そこで、海外でプレス仕上げまでした衣類を輸入するために、衣類を１つずつハンガーを用いてハンガーラックのハンガーポールに掛け、衣類が掛けられたハンガーラックを複数、搬送用のコンテナに積載して搬送することがある。しかし、衣類を国内に輸入した後、ハンガーラックのみを海外に返送するためにほとんど空のコンテナを海外に搬送することとなり効率的でない。
【０００３】
この問題に対応するため、組立て及び分解が可能で、コンテナに着脱可能なハンガーラックが、特許文献１及び２に開示されている。輸入後はハンガーラックをコンテナから取り外し、コンテナを他用途に使用することができる。また、コンテナから取り外したハンガーラックを海外に返送することができる。
【０００４】
しかし、特許文献１及び２に開示されたハンガーラックは、ハンガー位置の調整幅が小さく、種々のサイズの衣類を同時に搬送するには適さないものであった、
【先行技術文献】
【特許文献】
【０００５】
【特許文献１】実開平０７−０３０２１０号公報
【特許文献２】特開２００２−３４７６４号公報
【発明の概要】
【発明が解決しようとする課題】
【０００６】
本発明は、組立て及び分解が可能で、コンテナに着脱可能であり、種々のサイズの衣類を同時に搬送するに適したハンガーラックを提供することを課題とする。
【課題を解決するための手段】
【０００７】
本発明のハンガーラックは、
ハンガーを用いて複数の衣類を掛けるためのハンガーラックであって、
２つの支柱、該２つの支柱のそれぞれの上部の間に支持される第１支持バー、及び該２つの支柱のそれぞれの胴部の間に支持される複数の第２支持バーをそれぞれ有する２つのポール支持体と、
前記第１支持バー及び前記複数の第２支持バーに設けられたポール係止具を用いて係止することにより、前記２つのポール支持体の間に架設される複数のハンガーポールと、
を備えることを特徴とする。
【０００８】
この特徴によれば、２つの支柱のそれぞれの上部の間に第１支持バーが支持され、２つの支柱のそれぞれの胴部の間に複数の第２支持バーが支持された２つのポール支持体の間に、第１支持バー及び複数の第２支持バーに設けられたポール係止具を用いて係止することにより、複数のハンガーポールを架設してハンガーラックを組み立てるとともに、ハンガーラックを、ポール係止具による係止を外すことにより、２つのポール支持体と複数のハンガーポールとに分解することができる。また、第２支持バーを複数有するので、衣類のサイズに対応して使用する第２支持バーを選択することができる。
【０００９】
本発明のハンガーラックは、
前記複数の第２支持バーのうちの少なくとも１つの第２支持バーは、前記第１支持バーと同じ位置に前記ポール係止具を有することを特徴とする。
【００１０】
この特徴によれば、２つのポール支持体のそれぞれの第１支持バーの間に、ポール係止具を用いて係止することによりハンガーポールを架設し、２つのポール支持体のそれぞれの少なくとも１つの第２支持バーの間に、第１支持バーと同じ位置に設けられたポール係止具を用いて係止することによりハンガーポールを架設することで、ハンガーを用いて丈の短い衣類を、第１支持バーの間に架設されたハンガーポールと第２支持バーの間に架設されたハンガーポールとの、２段のハンガーポールにそれぞれ掛けることができる。
【００１１】
本発明のハンガーラックは、
前記複数の第２支持バーのうちの別の少なくとも１つの第２支持バーは、前記第１支持バーと異なる位置に前記ポール係止具を有することを特徴とする。
【００１２】
これによれば、２つのポール支持体のそれぞれの第１支持バーの間に、ポール係止具を用いて係止することによりハンガーポールを架設し、２つのポール支持体のそれぞれの少なくとも１つの第２支持バーの間に、第１支持バーと異なる位置に設けられたポール係止具を用いて係止することによりハンガーポールを架設することで、ハンガーを用いて丈の長い衣類を上段のハンガーポールに掛けるとともに丈の短い衣類を下段のハンガーポールに掛けることができる。
【００１３】
本発明のハンガーラックは、
前記２つのポール支持体は、前記２つの支柱のそれぞれの下部の間に支持される第３支持バーをそれぞれ有し、
前記複数のハンガーポールは、前記第３支持バーに設けられたポール係止具を用いて係止することにより、前記２つのポール支持体の間に架設されるハンガーポールをさらに含むことを特徴とする。
【００１４】
この特徴によれば、２つの支柱のそれぞれの下部の間に第３支持バーが支持された２つのポール支持体の間に、第３支持バーに設けられたポール係止具を用いて係止することにより架設されるハンガーポールにより、第１支持バー又は第２支持バーの間に架設された複数のハンガーポールにそれぞれハンガーを用いて掛けられる衣類を分断し、一体として移動するのを防ぐことができる。搬送中にコンテナが揺れた場合に、衣類が大きく揺れて大きな圧力を受けてしまうことがない。
【００１５】
本発明のハンガーラックは、
前記複数のハンガーポールのそれぞれに、それぞれのハンガーポールに掛けられるハンガーの掛止部を含んで被覆することで前記ハンガーを前記ハンガーポールに固定するハンガー固定具をさらに備えることを特徴とする。
【００１６】
この特徴によれば、複数のハンガーポールのそれぞれに衣類が掛けられたハンガーを掛け、ハンガー固定具を用いて、ハンガーポールをハンガーの掛止部を含んで被覆することで、ハンガーをハンガーポールに固定することができる。
【発明の効果】
【００１７】
本発明によれば、組立て及び分解が可能で、コンテナに着脱可能であり、種々のサイズの衣類を同時に搬送するに適したハンガーラックが提供される。
【図面の簡単な説明】
【００１８】
【図１】図１は、本実施形態に係るハンガーラックの構成を示す側面図である。
【図２】図２は、本実施形態に係るハンガーラックの構成を示す正面図である。
【図３】図３は、本実施形態に係るハンガーラックの構成を示す上面図である。
【図４】図４は、ハンガーポールの構成を示す図である。
【図５】図５は、ハンガー固定具によりハンガーがハンガーポールに固定された状態を示す図である。
【図６】図６は、コンテナにおけるハンガーラックの配置を示す図である。
【発明を実施するための形態】
【００１９】
以下、本発明の一実施形態について説明する。
【００２０】
図１〜３に、本実施形態に係るハンガーラック１０の構成を示す。ここで、図１〜３は、それぞれ側面視、（図１の基準線ＩＩ−ＩＩに関する断面に関する）正面視、及び上面視においてハンガーラック１０の構成を示す。また、ハンガーラック１０の使用状態の例として、ハンガーを用いてハンガーポールに掛けられた複数の衣類を点線により示す。ハンガーラック１０は、ハンガーを用いて複数の衣類を掛けるためのラックであり、２つのポール支持体１及び複数のハンガーポール５から構成される。
【００２１】
２つのポール支持体１は、それらの間に複数のハンガーポール５を支持する支持体であり、それぞれ、２つの支柱２、第１〜第３支持バー３ａ〜３ｃ、及び梁部材４ａ、４ｂを含む。
【００２２】
２つの支柱２は、それらの間に第１〜第３支持バー３ａ〜３ｃを支持する柱状部材であり、本実施形態では一例としてステンレス等の金属材より長さ２２８０ｍｍの円柱状に成形されている。
【００２３】
第１〜第３支持バー３ａ〜３ｃは、複数のハンガーポール５を支持する棒状部材であり、本実施形態では一例としてステンレス等の金属材より長さ１８５０ｍｍ及び円形断面を有する棒状に成形されている。第１、第２支持バー３ａ、３ｂは、それぞれ、側面上に立設する円柱状の複数のポール係止具３ａ０〜３ｂ０を有する。例えば、第１、第２支持バー３ａ、３ｂについては、１００ｍｍ離間して対をなす各２つのポール係止具３ａ０〜３ｂ０（部分的に一対の係止具を１つの係止具に置き換えてもよい）が４１２．５ｍｍの間隔でそれぞれの支持バーの側面上に配置されている。また、第３支持バー３ｃについては、ポール係止具３ｃ０は、両端から５０ｍｍの位置で支持バーの側面上に配置されている。なお、第１〜第３支持バー３ａ〜３ｃにおけるポール係止具３ａ０〜３ｃ０の数、配置は一例であり、任意の数のポール係止具を支持バーの任意の位置に設けてよい。
【００２４】
第１支持バー３ａは、２つの支柱２のそれぞれの上部（一例として、上端から６２ｍｍの位置）の間に支持される。第２支持バーは、複数（本実施形態では一例として２つ）の支持バーを含み、２つの支柱２のそれぞれの胴部（一例として上端から１０３２ｍｍ及び１１８６ｍｍの位置）の間に支持される。第３支持バー３ｃは、、２つの支柱２のそれぞれの下部（一例として、下端から３６ｍｍの位置）の間に支持される。第１〜第３支持バー３ａ〜３ｃは、それぞれのポール係止具３ａ０〜３ｃ０を上方に向けて、溶接によりそれぞれの端部を支柱２に固定することで支持される。
【００２５】
なお、複数の第２支持バー３ｂのうちの１つ（下側）の支持バーは、第１支持バー３ａと同じ位置にポール係止具３ｂ０を有する。それにより、後述するように、２つのポール支持体１のそれぞれの第１支持バー３ａの間に、ポール係止具３ａ０（例えば、図１における左から３つめの支持具）を用いて係止することによりハンガーポール５を架設し、２つのポール支持体１のそれぞれの下側の第２支持バー３ｂの間に、第１支持バー３ａと同じ位置に設けられたポール係止具３ｂ０（左から３つめの支持具）を用いて係止することによりハンガーポール５を架設することで、ハンガー１１を用いて丈の短い衣類１２を２段のハンガーポール５にそれぞれ掛けることができる。
【００２６】
また、複数の第２支持バー３ｂのうちの１つ（上側）の支持バーは、第１支持バー３ａと異なる位置にポール係止具３ｂ０を有する。一例として、第２支持バー３ｂのポール係止具３ｂ０は、第１支持バー３ａのポール係止具３ａ０と１００ｍｍ以上（本実施形態では、ポール係止具３ａ０の間隔の２分の１である４０６．２５ｍｍ）離間する位置に設けられている。それにより、２つのポール支持体１のそれぞれの第１支持バー３ａの間に、ポール係止具３ａ０（例えば、図１における右から３つめの支持具）を用いて係止することによりハンガーポール５を架設し、２つのポール支持体１のそれぞれの上側の第２支持バー３ｂの間に、第１支持バー３ａと異なる位置に設けられたポール係止具３ｂ０（例えば、図１における左から１つめ、２つめの係止具）を用いて係止することによりハンガーポール５を架設することで、ハンガー１１を用いて丈の長い衣類１３を上段の（第１支持バー３ａに掛けられた）ハンガーポール５に掛けるとともに丈の短い衣類１２を下段の（上側の第２支持バー３ｂに掛けられた）ハンガーポール（不図示）に掛けることができる。
【００２７】
複数のハンガーポール５のうちの１つは、第３支持バー３ｃに設けられたポール係止具３ｃ０を用いて係止することにより、２つのポール支持体１の間に架設される。それにより、２つの支柱２のそれぞれの下部の間に第３支持バー３ｃが支持された２つのポール支持体１の間に、第３支持バー３ｃに設けられたポール係止具３ｃ０を用いて係止することにより架設されるハンガーポール５により、第１支持バー３ａ又は第２支持バー３ｂの間に架設された複数のハンガーポール５にそれぞれハンガー１１を用いて掛けられる衣類１２，１３を分断し、一体として移動するのを防ぐことができる。
【００２８】
梁部材４ａ、４ｂは、それぞれ第１、第２支持バー３ａ、３ｂと支柱２との間に接続されてポール支持体１を補強する棒状部材である。梁部材４ａ、４ｂは、各２つの部材をそれぞれ含み、一例としてステンレス等の金属材より円柱状に成形されている。２つの梁部材４ａは、それぞれ、第１支持バー３ａの一側及び他側を２つの支柱２に接続する。２つの梁部材４ｂは、第２支持バー３ｂのうちの下側の支持バーの一側及び他側を２つの支柱２に接続する。第１、第２支持バー３ａ、３ｂは、多くの衣類を掛けるハンガーポール５を支持するため、衣類の重量を支えるものである。
【００２９】
図４に、ハンガーポール５の構成を示す。ここで、図４（Ａ）は、ハンガーポール５の構成を上面視において示し、図４（Ｂ）は側面視において示す。複数のハンガーポール５は、２つのポール支持体１の間に架設される棒状部材であり、本実施形態では一例としてステンレス等の金属材より長さ２３００ｍｍを有する棒状に成形されている。ただし、ハンガーポール５は、円形断面を有する胴部５ａ及び平たく潰された端部５ｂを有し、両端部ｂのそれぞれに円形状の開口５ｂ０が設けられている
【００３０】
複数のハンガーポール５は、第１〜第３支持バー３ａ〜３ｃに設けられたポール係止具３ａ０〜３ｃ０を用いて係止することにより、第１〜第３支持バー３ａ〜３ｃ上に支持される。ここで、複数のハンガーポール５は、端部５ｂの開口５ｂ０にポール係止具３ａ０，３ｂ０を通すことで係止される。また、ポール係止具３ａ０，３ｂ０から端部５ｂを抜いてハンガーポール５を第１〜第４支持バー３ａ〜３ｄから外すことで、ハンガーラック１０を２つのポール支持体１と複数のハンガーポール５とに分解することができる。
【００３１】
本実施形態では、一例として、複数のハンガーポール５は、第１支持バー３ａの図１の左側から３つめ及び７つめのポール係止具３ａ０に係止され、下側の第２支持バー３ｂの図１の左側から３つめポール係止具３ｂ０に係止され、第３支持バー３ｃの２つのポール係止具３ｄ０に係止されている。
【００３２】
なお、ハンガー１１を用いて複数の衣類１２，１３を複数のハンガーポール５のそれぞれに掛けるとともに、ハンガー固定具２０を用いてハンガー１１をハンガーポール５に着脱可能に固定してもよい。
【００３３】
図５に、ハンガー固定具２０の構成を、これを用いて衣類１２が掛けられたハンガー１１をハンガーポール５に固定した状態において示す。ハンガー固定具２０は、一軸方向を長手とする円弧状の断面を有する板状部材であり、本実施形態では一例としてプラスチック等の塑性を有する素材より成形されている。ハンガー固定具２０は、複数のハンガー１１をまとめてハンガーポール５に固定できる長さを有する。ハンガー固定具２０は、ハンガーポール５の胴部５ａより大きく、ハンガー１１の掛止部と等しい又は若干大きい内径を有する。
【００３４】
ハンガー固定具２０は、ハンガー１１の掛止部がハンガーポール５に掛けられた状態において、両辺部を広げてハンガーポール５に掛けられるハンガー１１の掛止部を含んでハンガーポール５を被覆することで複数のハンガー１１をハンガーポール５に固定することができる。
【００３５】
なお、本実施形態におけるハンガーラック１０の構成各部の素材、サイズ等は一例であり、ハンガーラック１０に掛ける衣類の数、重量、大きさ等、ハンガーラック１０を収容するコンテナのサイズ等に応じて任意に選択してよい。また、複数のハンガーポール５を架設する第１〜第４支持バー３ａ〜３ｄ上の位置も任意に選択してよい。
【００３６】
図６に、コンテナにおけるハンガーラックの配置を示す。コンテナ３０は、奥行き（図の縦方向の長さが略６０００ｍｍの２０フィートコンテナであるとする。
【００３７】
ポール支持体１が、コンテナ３０の側面に左右それぞれ３ずつ配されている。ポール支持体１の長さは１８５０ｍｍであるので、図のように６０００ｍｍの間に３つ配することができる。なお、コンテナ３０が４０フィートコンテナである場合には６つ配する。
【００３８】
ポール支持体１は、例えばコンテナ側面の係止紐を支柱２に結ぶことで、コンテナに固定される。ポール支持体１の間に、ハンガーポール５を架設する。
【００３９】
以上詳細に説明したように、本実施形態に係るハンガーラック１０は、２つの支柱２、２つの支柱２のそれぞれの上部の間に支持される第１支持バー３ａ、及び２つの支柱２のそれぞれの胴部の間に支持される複数の第２支持バー３ｂをそれぞれ有する２つのポール支持体１、並びに第１支持バー３ａ及び複数の第２支持バー３ｂに設けられたポール係止具３ａ０，３ｂ０を用いて係止することにより、２つのポール支持体１の間に架設される複数のハンガーポール５を備える。２つの支柱２のそれぞれの上部の間に第１支持バー３ａが支持され、２つの支柱２のそれぞれの胴部の間に複数の第２支持バー３ｂが支持された２つのポール支持体１の間に、第１支持バー３ａ及び複数の第２支持バー３ｂに設けられたポール係止具３ａ０，３ｂ０を用いて係止することにより、複数のハンガーポール５を架設してハンガーラック１０を組み立てることができる。そして、ハンガー固定具２０によって搬送中の揺れに対してハンガー１１を固定することができる。
【００４０】
また、ハンガーラック１０を、ポール係止具３ａ０，３ｂ０による係止を外すことにより、２つのポール支持体１と複数のハンガーポール５とに分解することができ、１のコンテナ３０に多数の（例えば４８の）ハンガーラック１０を収容して海外に返送することができる。
【産業上の利用可能性】
【００４１】
組立て及び分解が可能で、コンテナに着脱可能であり、種々のサイズの衣類を同時に搬送するに適したハンガーラックである。多くの衣類運送業者による利用が考えられる。
【符号の説明】
【００４２】
１      ポール支持体
２      支柱
３ａ    第１支持バー
３ａ０  ポール係止具
３ｂ    第２支持バー
３ｂ０  ポール係止具
３ｃ    第３支持バー
３ｃ０  ポール係止具
４ａ    梁部材
４ｂ    梁部材
５      ハンガーポール
５ａ    胴部
５ｂ    端部
５ｂ０  開口
１０    ハンガーラック
１１    ハンガー
１２    衣類
１３    衣類
２０    ハンガー固定具
３０    コンテナ
【図１】
2018201847.tif 000003
【図２】
2018201847.tif 000004
【図３】
2018201847.tif 000005
【図４】
2018201847.tif 000006
【図５】
2018201847.tif 000007
【図６】
2018201847.tif 000008